(57)【要約】【課題】  本発明は、制御回路からの待機電力をリモートコントローラに送るとともに、リモートコントローラの機能を損なわないようにした待機電力低減方法および待機電力低減装置に関するものである。【解決手段】  本発明は、制御回路またはリモートコントローラによって制御機器を制御するとともに、前記制御回路から前記リモートコントローラへ電力が供給されている。また、本発明は、通電と遮断を所定の間隔で繰り返した電力を通信回路を介して前記リモートコントローラに送信している。前記通電と遮断を所定の間隔で繰り返して通信回路を介して送られて来た電力は、前記リモートコントローラにおけるマイクロコンピュータによって、定電圧に変換されるため、制御回路における遮断している間の電力が節約される。【選択図】    図１
2005286506.tif 000002
【特許請求の範囲】
【請求項１】
制御回路またはリモートコントローラによって制御機器を制御するとともに、前記制御回路から前記リモートコントローラへ電力を供給する待機電力低減方法において、
通電と遮断を所定の周期で繰り返す電力を通信回路を介して前記制御回路からリモートコントローラに送信することを特徴とする待機電力低減方法。
【請求項２】
前記通電と遮断の繰り返しは、リモートコントローラ内のマイクロコンピュータをセット状態に維持できる周期であることを特徴とする請求項１に記載された待機電力低減方法。
【請求項３】
前記リモートコントローラ内のマイクロコンピュータは、立ち上がりのタイミングが記憶され、前記マイクロコンピュータがリセットした場合、次回電源復帰時に、前記タイミングによって、前記リモートコントローラへ再送信することを特徴とする請求項１または請求項２に記載された待機電力低減方法。
【請求項４】
電力を供給する電源と、
前記電源の通電および遮断を所定の周期で行う遮断回路と、
少なくとも前記電源の電力を供給する送受信回路と、
前記送受信回路に送られて来る電圧を監視する電圧監視回路と、
前記各回路を制御するマイクロコンピュータと、
から少なくとも構成されている制御回路と；
少なくとも前記制御回路からの電力を受信する送受信回路と、
作動電圧を検出する電圧検出回路と、
前記各回路を制御するとともに、前記作動電圧で作動するマイクロコンピュータと、
から少なくとも構成されるリモートコントローラと；
を備え、前記制御回路または前記リモートコントローラによって制御機器を制御するとともに、前記制御回路から前記リモートコントローラへ電力を供給する制御回路の待機電力低減装置において、
通電と遮断を所定の周期で繰り返す電力と、前記リモートコントローラにおけるマイクロコンピュータの電圧とを前記各送受信回路を介して前記制御回路と前記リモートコントローラの間で送受信することを特徴とする待機電力低減装置。
【請求項５】
前記遮断回路は、リモートコントローラ内のマイクロコンピュータがセット状態に維持できる周期で電力の通電と遮断を繰り返すことを特徴とする請求項４に記載された待機電力低減装置。
【請求項６】
リモートコントローラ内のマイクロコンピュータがリセットした場合、
電圧監視回路は、前記リモートコントローラにおけるマイクロコンピュータの電源電圧を監視し、
前記制御回路におけるマイクロコンピュータは、前記電圧監視回路によって監視された電圧の立ち上がりタイミングで前記リモートコントローラに再送信することを特徴とする請求項４または請求項５に記載された待機電力低減装置。
【発明の詳細な説明】
【技術分野】
【０００１】
本発明は、制御回路またはリモートコントローラによって制御機器を制御するとともに、前記制御回路から前記リモートコントローラへ電力を供給する待機電力低減方法および待機電力低減装置に関するものである。本発明は、制御回路からの待機電力をリモートコントローラに送るとともに、リモートコントローラの機能を損なわないようにした待機電力低減方法および待機電力低減装置に関するものである。
【背景技術】
【０００２】
通信回路を介してリモートコントローラを負荷に持つ従来の制御回路は、待機電力の低減方法として、前記リモートコントローラ側に機械的なスイッチを設け、待機時に前記通信回路の電源を人手によりＯＦＦとして、リモートコントローラ機能を停止することで、電力の低減を図っていた。
【０００３】
また、他の待機電力を低減する方法は、人体を感知するセンサをリモートコントローラに付けておき、人の気配を感知した際にリモートコントローラの電源をＯＮにするというものがある。
【０００４】
さらに、従来の待機電力の低減を図った給湯装置は、たとえば、特開２００１−１２４４１１号公報に記載されているように、給湯装置内の作動状態を判別する判別手段と、前記判別手段により判別された作動状態に対応する消費電力を決定する消費電力決定手段を有し、前記消費電力により決定された消費電力を表示する表示部を給湯装置のリモートコントローラに設けている。
【特許文献１】特開２００１−１２４４１１号公報
【発明の開示】
【発明が解決しようとする課題】
【０００５】
前記制御回路は、リモートコントローラ側に設けられた機械的スイッチを用いるため、毎回、起動時に人手によって再起動する必要があるという問題があった。また、人の気配を感じるセンサを付けたリモートコントローラは、センサを追加する分、費用がかさむという問題があった。さらに、前記公開公報に開示された給湯装置は、人がリモートコントローラに付けられた表示部を見ることにより消費電力の低減を図っている。
【０００６】
以上のような課題を解決するために、本発明は、リモートコントローラが待機時においても、リモートコントローラの機能を損なわずに、また、待機電力の低減対策として、新たな回路を追加することなく、待機電力の低減を図ることができる待機電力低減方法および待機電力低減装置を提供することを目的とする。
【課題を解決するための手段】
【０００７】
（第１発明）
第１発明の待機電力低減方法は、制御回路またはリモートコントローラによって制御機器を制御するとともに、前記制御回路から前記リモートコントローラへ電力を供給するものであり、通電と遮断を所定の周期で繰り返す電力を通信回路を介して前記制御回路からリモートコントローラに送信することを特徴とする。
【０００８】
（第２発明）
第２発明の待機電力低減方法は、第１発明において、通電と遮断の繰り返しがリモートコントローラ内のマイクロコンピュータをセット状態に維持できる周期であることを特徴とする。
【０００９】
（第３発明）
第３発明の待機電力低減方法は、第１発明または第２発明において、リモートコントローラ内のマイクロコンピュータが立ち上がりのタイミングを記憶し、前記マイクロコンピュータがリセットした場合、次回電源復帰時に、前記タイミングによって、前記リモートコントローラへ再送信することを特徴とする。
【００１０】
（第４発明）
第４発明の待機電力低減装置は、電力を供給する電源と、前記電源の通電および遮断を所定の周期で行う遮断回路と、少なくとも前記電源の電力を供給する送受信回路と、前記送受信回路に送られて来る電圧を監視する電圧監視回路と、前記各回路を制御するマイクロコンピュータと、から少なくとも構成されている制御回路と；
少なくとも前記制御回路からの電力を受信する送受信回路と、作動電圧を検出する電圧検出回路と、前記各回路を制御するとともに、前記作動電圧で作動するマイクロコンピュータと、から少なくとも構成されるリモートコントローラと；  を備え、前記制御回路または前記リモートコントローラによって制御機器を制御するとともに、前記制御回路から前記リモートコントローラへ電力を供給する制御回路の待機電力低減装置において、
通電と遮断を所定の周期で繰り返す電力と、前記リモートコントローラにおけるマイクロコンピュータの電圧とを前記各送受信回路を介して前記制御回路と前記リモートコントローラの間で送受信することを特徴とする。
【００１１】
（第５発明）
第５発明の待機電力低減装置は、第４発明において、遮断回路がリモートコントローラ内のマイクロコンピュータをセット状態に維持できる周期で電力の通電と遮断を繰り返すことを特徴とする。
【００１２】
（第６発明）
第６発明の待機電力低減装置は、第４発明または第５発明において、リモートコントローラ内のマイクロコンピュータがリセットした場合、電圧監視回路は、前記リモートコントローラにおけるマイクロコンピュータの電源電圧を監視し、前記制御回路におけるマイクロコンピュータは、前記電圧監視回路によって監視された電圧の立ち上がりタイミングで前記リモートコントローラに再送信することを特徴とする。
【発明の効果】
【００１３】
本発明によれば、制御回路におけるマイクロコンピュータによって、リモートコントローラ側に送る電力を断続することにより、リモートコントローラが待機している時でも、リモートコントローラの機能を損なわずに、電力を遮断している間だけ待機電力の低減を図ることができる。
【００１４】
本発明によれば、従来電力を送信する際に必要なハードウエアのみで、新たな回路を追加することなく、待機電力の低減を図ることができ、安価な待機電力低減装置を提供することができる。
【発明を実施するための最良の形態】
【００１５】
（第１発明）
第１発明における制御回路の待機電力低減方法は、制御回路またはリモートコントローラによって制御機器を制御するとともに、前記制御回路から前記リモートコントローラへ電力が供給されている。また、前記待機電力低減方法は、通電と遮断を所定の周期で繰り返した電力を通信回路を介して前記リモートコントローラに送信している。
【００１６】
前記待機電力低減方法において、通電と遮断を所定の周期で繰り返して通信回路を介して送られて来た電力は、前記リモートコントローラにおけるマイクロコンピュータによって、定電圧に変換される。すなわち、前記断続した電力は、前記リモートコントローラにおける電源が有するキャパシタおよび／またはインダクタ等によって、定電圧となるため、制御回路における遮断している間の電力が節約される。
【００１７】
（第２発明）
第２発明の待機電力低減方法は、電力の遮断時間が長い場合、リモートコントローラ内のマイクロコンピュータがリセットしてしまう。そこで、制御回路において、前記通電と遮断の繰り返しからなる電力は、リモートコントローラ内のマイクロコンピュータがセット状態を維持できる周期とする。
【００１８】
（第３発明）
第３発明の待機電力低減方法は、制御回路から送信した通電と遮断の繰り返しからなる電力の遮断周期が長過ぎてリモートコントローラ内のマイクロコンピュータがリセットした場合の復帰に係わるものである。前記復帰時における前記通電と遮断の繰り返し周期は、電源復帰時に、前記通電の立ち上がりと同じタイミングにして電力をリモートコントローラへ再送信する。
【００１９】
前記制御回路に設けられたマイクロコンピュータは、リモートコントローラにおけるマイクロコンピュータの立ち上がりのタイミングを記憶しておき、復帰時に前記と同じタイミングで再送信することができる。
【００２０】
（第４発明）
第４発明の待機電力低減装置は、制御機器を制御する制御回路およびリモートコントローラから構成されるとともに、前記制御回路から前記リモートコントローラへ電力が供給される。
【００２１】
前記制御回路は、電力を供給する電源と、前記電源を通電および遮断を所定の周期で行う遮断回路と、少なくとも前記電源の電力を供給する送受信回路と、前記送受信回路に送られて来る電圧を監視する電圧監視回路と、前記各回路を制御するマイクロコンピュータとから少なくとも構成されている。
【００２２】
前記遮断回路は、前記電源の電圧を所定の周期で通電と遮断状態にする。また、前記送受信回路は、前記通電と遮断された電力を送信するとともに、後述するリモートコントローラにおけるマイクロコンピュータの作動電圧を受信する。前記電圧監視回路は、前記リモートコントローラにおけるマイクロコンピュータからの作動電圧を監視し、前記制御回路のマイクロコンピュータに伝える。前記制御回路のマイクロコンピュータは、前記制御回路内の各回路を制御する。
【００２３】
前記リモートコントローラは、少なくとも前記制御回路からの電力を受信する送受信回路と、マイクロコンピュータの作動電圧を検出する電圧検出回路と、前記各回路を制御するとともに、前記作動電圧で作動するマイクロコンピュータとから少なくとも構成されている。
【００２４】
前記制御回路は、電力の通電と遮断を所定の間隔で繰り返し、リモートコントローラに送信するとともに、前記リモートコントローラにおけるマイクロコンピュータの作動電圧を受信し、前記リモートコントローラのマイクロコンピュータがリセットしない範囲で前記電力を供給しているので、遮断している間の電力を節約することができる。
【００２５】
（第５発明）
第５発明の待機電力低減装置は、制御回路における電圧監視回路によって、リモートコントローラ内のマイクロコンピュータの作動電圧を監視し、電力の遮断時間を前記マイクロコンピュータがセット状態を維持できる周期にしている。
【００２６】
（第６発明）
第６発明の待機電力低減装置は、待機時に制御回路から送信した通電と遮断を所定の周期で繰り返す電力によりリモートコントローラ内のマイクロコンピュータを作動させる。しかし、前記遮断時間が長い電力は、前記マイクロコンピュータがリセットされる。前記マイクロコンピュータが復帰する際の通電と遮断を繰り返す周期は、電圧監視回路による電圧を制御回路内のマイクロコンピュータが記憶しておく。前記制御回路内のマイクロコンピュータは、次回電圧復帰時に、前記電力の立ち上がり電圧と同じタイミングで電力を再送信する。
【実施例】
【００２７】
図１は本発明の実施例である制御機器の概略を説明するためのブロック構成図である。図１において、制御機器１３は、制御回路１１と、リモートコントローラ１２とによって制御されている。また、制御回路１１は、通信回線を介してリモートコントローラ１２へ電力を供給する。
【００２８】
前記制御回路１１は、電力を供給する電源１１２と、前記電源１１２を所定の周期で通電および遮断状態にするとともに、リモートコントローラ１２側のマイクロコンピュータ１２３の過電流保護のために遮断できる遮断回路１１５と、少なくとも前記電源１１２の電力をリモートコントローラ１２へ供給する送受信回路１１１と、前記送受信回路１１１を介してリモートコントローラ１２側のマイクロコンピュータ１２３を作動させる電圧を監視する電圧監視回路１１４と、前記各回路を制御するマイクロコンピュータ１１３とから少なくとも構成されている。
【００２９】
前記遮断回路１１５は、前記電源１１２の電圧を所定の周期で通電と遮断状態にする。前記通電と遮断の周期は、前記リモートコントローラ１２側のマイクロコンピュータ１２３を作動させることができるものである。また、前記送受信回路１１１は、前記通電と遮断された電力を送信するとともに、後述するリモートコントローラ１２におけるマイクロコンピュータ１２３の作動電圧等のデータを受信する。
【００３０】
前記電圧監視回路１１４は、通常、前記リモートコントローラ１２におけるマイクロコンピュータ１２３からの作動電圧を監視し、前記制御回路１１のマイクロコンピュータ１１３に伝えている。前記制御回路１１のマイクロコンピュータ１１３は、前記電圧監視回路１１４の電圧データを参考にして前記制御回路１１内の各回路を制御する。
【００３１】
前記リモートコントローラ１２は、少なくとも前記制御回路１１からの電力を受信する送受信回路１２１と、マイクロコンピュータ１２３の作動電圧を検出する電圧検出回路１２２と、前記各回路を制御するとともに、前記作動電圧で作動するマイクロコンピュータ１２３とから少なくとも構成されている。
【００３２】
前記制御回路１１は、前記遮断回路１１５により、電力を通電と遮断で繰り返し、送受信回路１１１を介して、リモートコントローラ１２に送信するとともに、前記リモートコントローラ１２側の送受信回路１２１を介して前記マイクロコンピュータ１２３の電源とする。
【００３３】
前記制御回路１１から供給された電力は、前記リモートコントローラ１２におけるマイクロコンピュータ１２３がリセットしない範囲で通電と遮断を繰り返しているため、遮断している間の電力を節約することができる。また、制御回路１１におけるマイクロコンピュータ１１３と送受信回路１１１、およびリモートコントローラ１２におけるマイクロコンピュータ１２３と送受信回路１２１は、制御回路１１とリモートコントローラ１２との間において、各種データのやりとりを行うことができる。
【００３４】
前記制御回路１１における遮断回路１１５は、リモートコントローラ１２に対する負荷の過電流保護回路を兼ねることができるため、新たな回路を必要としない。しかし、前記遮断回路１１５は、遮断したままであると、制御回路１１とリモートコントローラ１２との間で通信ができなくなる。
【００３５】
前記欠点を除去するために、マイクロコンピュータ１１３は、予め、リモートコントローラ１２内のマイクロコンピュータ１２３がリセットしない遮断および通電周期を把握し、この周期によって遮断する。あるいは、前記マイクロコンピュータ１１３は、電圧監視回路１１４によって、リモートコントローラ１２側のマイクロコンピュータ１２３がリセットしないように電圧を監視する。
【００３６】
また、電力を送信するタイミングは、前記マイクロコンピュータ１１３が電圧の立ち上がりのタイミングを記憶しておき、次回電圧復帰時に前記タイミングに合わせるようにすることで、電力の供給を遮断しても、送信時のタイミングが図れるため、双方向の通信が可能となり、待機電力の低減が可能となる。
【００３７】
図２は本発明の実施例で、遮断回路における通電と遮断の状態、およびリモートコントローラ側のマイクロコンピュータのタイミングを説明するための図である。図２において、遮断回路１１５により通電および遮断の周期２１は、リモートコントローラ１２側の図示されていない電源におけるキャパシタおよび／またはインダクタにより、図示のリモートコントローラ電圧２２となり、マイクロコンピュータ１２３を作動させるための電力となる。
【００３８】
また、リモートコントローラ１２側のデータは、制御回路１１側とタイミングを合わせる必要があるが、前記電圧検出回路１２２により、リモートコントローラ電圧２２の立ち上がりを制御回路１１のマイクロコンピュータ１１３に記憶させておき、このタイミングによってリセット後の送信を可能にしている。
【産業上の利用可能性】
【００３９】
以上、本発明の実施例を詳述したが、本発明は、前記実施例に限定されるものではない。そして、本発明は、特許請求の範囲に記載された事項を逸脱することがなければ、種々の設計変更を行うことが可能である。本発明の実施例に記載されたブロック構成図は、公知または周知の技術により達成できるものである。
【００４０】
本発明は、制御回路およびリモートコントローラによって制御機器を制御するものであり、かつ、制御回路からリモートコントローラに電力を供給できるものであれば、応用する機器に限定されるものではない。
【図面の簡単な説明】
【００４１】
【図１】本発明の実施例である制御機器の概略を説明するためのブロック構成図である。（実施例）
【図２】本発明の実施例で、遮断回路における通電と遮断の状態、およびリモートコントローラ側のマイクロコンピュータのタイミングを説明するための図である。
【符号の説明】
【００４２】
１１・・・制御回路
１１１・・・送受信回路
１１２・・・電源
１１３・・・マイクロコンピュータ
１１４・・・電圧監視回路
１１５・・・遮断回路
１２・・・リモートコントローラ
１２１・・・送受信回路
１２２・・・電圧検出回路
１２３・・・マイクロコンピュータ
１３・・・制御機器
【図１】
2005286506.tif 000003
【図２】
2005286506.tif 000004